(57)【要約】【課題】  ２つの物体の係合後の対面位置が常に所定の対面位置となるように係合すると共に、簡単な操作で確実に着脱可能に係合させる取付装置を提供する。【解決手段】  空室４は、物体を係合する時（係合前）、即ち、駆動部１の２つの半円部が密着している時において、カム２を収納するために必要な最低限の大きさのスペースを有している。カム２が回転すると、カム２を収納している空室４が押し広げられ、これにより、空室４を有する駆動部１の左右の半円部が互いに遠ざかる方向に移動し、少なくとも駆動部１の外周部の２箇所において、駆動部１が雌ネジ６（第１の物体）の内壁と接触する。カム２の回転と共に、この接触圧が高まり、カム２の回転が所定の回転角度（例えば９０度）に達した時に、駆動部１が雌ネジ６（第２の物体）と最大強度で係合される。【選択図】  図１
2006300155.tif 000002
【特許請求の範囲】
【請求項１】
２つの物体を係合するために使用される物体の取付装置であって、
前記係合すべき２つの物体のうちの一方の物体（以後、「第１の物体」と称する）を凹部を有する物体として形成するか、又は前記第１の物体を凹部を有する物体と接合させる手段と、
前記係合すべき２つの物体のうちの他方の物体（以後、「第２の物体」と称する）を、回転可能なカムと、分離された２つの部分が前記カムの回転に応じて互いに反対方向に水平移動する駆動部と、前記駆動部の外周部に嵌め込まれたＯリングとを有する物体として形成するか、若しくは前記物体と接合させる手段と、
係合時に、前記第２の物体に係る前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させる係合手段と、
を備えたことを特徴とする物体の取付装置。
【請求項２】
前記駆動部は、前記カムを収納するための空室を有していることを特徴とする請求項１に記載の物体の取付装置。
【請求項３】
前記カムは、所定の最大回転角度まで回転可能であり、かつ前記所定の最大回転角度まで回転すると、該最大回転角度を越える回転は不可能であるように構成されていることを特徴とする請求項１又は２に記載の物体の取付装置。
【請求項４】
前記カムの前記所定の最大回転角度は９０度であることを特徴とする請求項３に記載の物体の取付装置。
【請求項５】
前記カムは、前記第２の物体と接合されており、前記第２の物体の回転により回転することを特徴とする請求項１乃至４の何れか１項に記載の物体の取付装置。
【請求項６】
２つの物体を係合するために使用される物体の取付方法であって、
前記係合すべき２つの物体のうちの一方の物体（以後、「第１の物体」と称する）を凹部を有する物体として形成するか、又は前記第１の物体を凹部を有する物体と接合させるステップと、
前記係合すべき２つの物体のうちの他方の物体（以後、「第２の物体」と称する）を、回転可能なカムと、分離された２つの部分が前記カムの回転に応じて互いに反対方向に水平移動する駆動部と、前記駆動部の外周部に嵌め込まれたＯリングとを有する物体として形成するか、若しくは前記物体と接合させるステップと、
係合時に、前記第２の物体に係る前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させる係合ステップと、
を有することを特徴とする物体の取付方法。
【請求項７】
２つの物体を係合するための物体の取付装置であって、
回転可能なカムと、前記カムの回転により水平方向に移動する駆動部と、前記駆動部の外周部に嵌め込まれたＯリングとを有し、
係合時に、前記カムを前記物体の一方に係合させた状態で前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させることを特徴とする物体の取付装置。
【請求項８】
前記駆動部は、前記カムを収納するための空室を有していることを特徴とする請求項７に記載の物体の取付装置。
【請求項９】
前記カムは、所定の最大回転角度まで回転可能であり、かつ前記所定の最大回転角度まで回転すると、該最大回転角度を越える回転は不可能であるように構成されていることを特徴とする請求項７又は８に記載の物体の取付装置。
【請求項１０】
前記カムの前記所定の最大回転角度は９０度であることを特徴とする請求項９に記載の物体の取付装置。
【請求項１１】
前記カムは、前記２つの物体のうちの一方の物体と接合されており、前記物体の回転により回転することを特徴とする請求項７乃至１０の何れか１項に記載の物体の取付装置。
【請求項１２】
前記２つの物体の一方が聴診器であり、他方が時計または装飾品であることを特徴とする請求項７乃至１１の何れか１項に記載の物体の取付装置。
【発明の詳細な説明】
【技術分野】
【０００１】
本発明は、一定の形状を有する装置等の物体（本願においては、「物体」という）の取付装置に関し、特に、第１の物体の凹部内にモジュール等の第２の物体を取り付ける物体の取付装置及び取付方法に関する。
【背景技術】
【０００２】
従来、凹部を有する第１の物体と、凸部を有する第２の物体とを係合する１つの方法として、前記凹部と前記凸部とが、どちらも円柱形状である場合には、前記凹部に雌螺子を切り、かつ前記凸部には雄螺子を切り、この螺子に沿って、前記凸部を前記凹部に回し込む方法が用いられている。
【０００３】
また、前記凹部と前記凸部とが、どちらも円柱形状とは限らない一般の形状（多角柱を含む）である場合は、前記のような螺子は利用できないので、前記凹部の内壁に傾斜を設け、前記凹部の入口から奥の方に向かって、前記凹部の内径が減少するように加工しておき、前記凸部を、この凹部に嵌め込む（嵌合する）方法が用いられている。
【０００４】
さらに、前記凹部と前記凸部とが、円柱状、若しくは、どちらも円柱形状とは限らない一般の形状（多角柱を含む）である場合には、ビスや接着剤を用いて物体を取り付ける方法も用いられている。
【発明の開示】
【発明が解決しようとする課題】
【０００５】
しかし、このような従来の物体の取付方法においては、例えば、前述の螺子を利用する取付方法の場合、第１の物体と第２の物体とを所定の相対位置で係合するには、前記凹部や前記凸部の加工精度、及びその螺子切りの精度を相当高度に高めておく必要があり、一般の加工精度では、所定の相対位置で係合することが困難であるという問題点があった。また、第１の物体と第２の物体とを係合する時、及び取り外しする時には、前記の螺子を回し切る必要があり、第１の物体から第２の物体を着脱するのに時間と手間が掛かるという問題点があった。
【０００６】
また、前述の嵌合を行う取付方法の場合、一般には、第１の物体と第２の物体とが互いに固く嵌合されてしまうので、取り外しが困難になるという問題点があった。さらに、この嵌合と引き離しを何度も繰り返すと、前記凹部と前記凸部とが磨耗したり、変形したりするので、破壊が生じたり、両者の嵌合が次第に甘くなってくるという問題点があった。
【０００７】
さらに、前述のビスを利用する取付方法の場合、やはり、着脱が困難であったり、ビス（特に頭）の磨耗により、着脱が不可能になるという問題点があった。また、前述の接着剤を利用する取付方法の場合、前記凹部と前記凸部とが固着することにより着脱が不可能になるという問題点があった。
【０００８】
このため、本発明は、２つの物体を、当該２つの物体の係合後の対面位置が常に所定の対面位置となるように係合すると共に、簡単な操作で着脱可能に係合することができる物体の取付装置の提供を目的とするものである。
【０００９】
本発明の他の目的は、２つの物体を、当該２つの物体の係合後の対面位置が常に所定の対面位置となるように係合すると共に、簡単な操作で着脱可能に係合することができる物体の取付方法を提供することにある。
【００１０】
本発明の他の目的は、２つの物体を、当該２つの物体の係合後の対面位置が常に所定の対面位置となるように係合すると共に、簡単な操作で着脱可能に係合することができる物体の取付装置を提供することにある。
【課題を解決するための手段】
【００１１】
本発明は、さらに、２つの物体を係合するために使用される物体の取付装置であって、前記係合すべき２つの物体のうちの一方の物体（以後、「第１の物体」と称する）を凹部を有する物体として形成するか、又は前記第１の物体を凹部を有する物体と接合させる手段と、前記係合すべき２つの物体のうちの他方の物体（以後、「第２の物体」と称する）を、回転可能なカムと、分離された２つの部分が前記カムの回転に応じて互いに反対方向に水平移動する駆動部と、前記駆動部の外周部に嵌め込まれたＯリングとを有する物体として形成するか、若しくは前記物体と接合させる手段と、係合時に、前記第２の物体に係る前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させる係合手段とを備えたことを特徴とする物体の取付装置を提供するものである。
【００１２】
このように構成することにより、第２の物体に係るカムを回転させるだけで、第１の物体と第２の物体とを迅速に、かつ強力に係合することが可能となる。また、前記物体の取付装置において、前記駆動部は、前記カムを収納するための空室を有していることを特徴とする。このように構成することにより、駆動部を構成する分離された２つの部分には、空室に収納したカムから動力を伝達させて、互いに反対方向に水平移動させることができる。
【００１３】
また、前記物体の取付装置において、前記カムは、所定の最大回転角度まで回転可能であり、かつ前記所定の最大回転角度まで回転すると、該最大回転角度を越える回転は不可能であるように構成されていることを特徴とする請求項１または請求項２記載の物体の取付装置。このように構成することにより、第１の物体と第２の物体とを、常に同じ対面位置で係合することができる。ここで、前記物体の取付装置において、前記カムの前記所定の最大回転角度は９０度である。
【００１４】
このように構成することにより、第１の物体と第２の物体とを、目視で確認しながら常に同じ対面位置で係合させることができる。また、中途半端な位置で係合させる場合よりも操作が分かり易くなる。また、前記物体の取付装置において、前記カムは、前記第２の物体と接合されており、前記第２の物体の回転により回転することを特徴とする。
【００１５】
このように構成することにより、第２の物体を回転させるだけでカムを回転させることが可能となり、ひいては、第１の物体と第２の物体とを係合させることができる。また、第２の物体が適当な大きさを有する時には、カムを回転させる操作が楽になる。
【００１６】
本発明は、さらに、２つの物体を係合するために使用される物体の取付方法であって、前記係合すべき２つの物体のうちの一方の物体（以後、「第１の物体」と称する）を凹部を有する物体として形成するか、又は前記第１の物体を凹部を有する物体と接合させるステップと、前記係合すべき２つの物体のうちの他方の物体（以後、「第２の物体」と称する）を、回転可能なカムと、分離された２つの部分が前記カムの回転に応じて互いに反対方向に水平移動する駆動部と、前記駆動部の外周部に嵌め込まれたＯリングとを有する物体として形成するか、若しくは前記物体と接合させるステップと、係合時に、前記第２の物体に係る前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させる係合ステップとを有することを特徴とする物体の取付方法を提供するものである。
【００１７】
本発明は、また、２つの物体を係合するための物体の取付装置であって、回転可能なカムと、前記カムの回転により水平方向に移動する駆動部と、前記駆動部の外周部に嵌め込まれたＯリングとを有し、係合時に、前記カムを前記物体の一方に係合させた状態で前記カムを回転させることにより、前記Ｏリングが嵌め込まれた前記駆動部の外周部の一部を、前記第１の物体に係る前記凹部の内壁に押し付けて、前記第１の物体と前記第２の物体とを係合させることを特徴とする物体の取付装置を提供するものである。
【発明の効果】
【００１８】
本発明によれば、２つの物体を、当該２つの物体の係合後の対面位置が常に所定の位置となるように係合すると共に、簡単な操作で着脱可能に係合することができる物体の取付装置及び物体の取付方法並びに物体の取付装置の提供を実現したのである。また、２つの物体を、簡単な操作で、迅速かつ強力に係合することができる物体の取付装置及び物体の取付方法の提供を実現したのである。
【発明を実施するための最良の形態】
【００１９】
以下、図面を参照して、本発明の実施の形態について詳細に説明する。
なお、それぞれの実施形態の説明では、本発明に係る物体の取付装置及び取付方法について詳しく説明する
【００２０】
図１は、本発明の実施形態に係る物体の取付装置の構成の構成を示すものであり、図１（ａ）は係合前の本取付装置の平面図、図１（ｂ）は係合前の本取付装置の側面から見た断面図、図１（ｃ）は係合時の本取付装置の平面図、図１（ｄ）は係合時の本取付装置の側面から見た断面図を、それぞれ示す。
【００２１】
図１（ａ）、（ｃ）に示すように、本発明の実施形態に係る物体の取付装置は、後述するカム２の回転を受けて左右の半円部が互いに反対方向に移動する駆動部１と、回転することにより駆動部１の左右の半円部を互いに反対方向に移動させるカム２と、駆動部１の外周部に嵌め込まれたＯリング３と、カム２を収納する空室４と、を備える。
【００２２】
また、図１（ｂ）、（ｄ）に示すように、本発明の実施形態に係る物体の取付装置は、前述の本発明の実施形態に係る物体の取付装置に加えて、係合される第１の物体またはその一部、若しくは前記物体に接合された雌ネジ６と、係合される第２の物体またはその一部、若しくは前記物体に接合された雄ネジ７と、を備える。ここで、駆動部１を構成する材質は、金属、合成樹脂、木、陶器、ゴム、等が可能である。また、カム２を構成する材質は、金属、合成樹脂、木、陶器、等が可能である。さらに、Ｏリングを構成する材質は、金属、合成樹脂、ゴム、等が可能である。そして、雄ネジ７は、カム２と強固に接合されている。
【００２３】
図２は、本発明の実施形態に係る物体の取付装置の構成要素を説明する説明図であり、図２（ａ）は空室４を有する駆動部１の平面図、図２（ｂ）は駆動部１の側面図、図２（ｃ）はＯリング３の平面図、図２（ｄ）はカム２の平面図を、それぞれ示す。
【００２４】
以下、本発明の実施形態に係る物体の取付装置の機能を構成要素毎に説明する。駆動部１は、左右に分離された２つの半円部から成り、その内部には、カム２を収納するための空室４を備える。この実施形態では、駆動部１の全体形状（平面図）は、略円形であるが、一般に本発明では、駆動部１の全体形状（平面図）は任意である。
【００２５】
カム２は、中心を通過する水平線として、長さが異なる少なくとも２軸（長軸と短軸）を有し、かつ、カム２は、中心軸の回りに少なくとも９０度の回転が可能であるように構成されている（図１（ａ））。但し、カム２の回転角度が、所定の角度（例えば９０度）に達した時に、カム２は、それ以上の回転が不可能なように構成されている。カム２が回転するに連れて、その長軸の作用により、カム２を収納している空室４が押し広げられる。ここで、Ｏリング３は弾性を有し、カム２の回転と共に駆動部１の外周部が膨張する時に、引き伸ばされて、この膨張に耐えると共に、駆動部１の外周部が雌ネジ６の内壁に接触する際にはクッション（緩衝装置）の役割を担う。Ｏリング３の外径は、物体を係合する時（係合前）、即ち、駆動部１の前記２つの半円部が密着している時において、雌ネジ６の内径よりも僅かに短くなるように構成されているので、係合する時（係合前）には、雌ネジ６の内部にスムースに挿入することが可能である。
【００２６】
空室４は、物体を係合する時（係合前）、即ち、駆動部１の前記２つの半円部が密着している時において、カム２を収納するために必要な最低限の大きさのスペースを有している。カム２が回転すると、カム２を収納している空室４が押し広げられ、これにより、空室４を有する駆動部１の左右の半円部が互いに遠ざかる方向に移動するので、少なくとも駆動部１の外周部の２箇所において、駆動部１が雌ネジ６の内壁と接触し、カム２の回転と共に、この接触圧が高まり、カム２の回転が所定の回転角度（例えば９０度）に達した時に、駆動部１が雌ネジ６と最大強度で係合される。
【００２７】
なお、カム２を回転させると、カム２の少なくとも２箇所（例えば、前記長軸の両端）が、空室４の内壁と接触し、空室４を押し広げる。カム２の回転角度が、所定の角度（例えば９０度）に達した時に、カム２は、それ以上の回転が不可能なように構成されているので、雌ネジ６と雄ネジ７の対面位置が常に所定の対面位置で係合される。ここで、係合される第２の物体またはその一部、若しくは前記物体に接合された雄ネジ７は、カム２と強固に接合されているので、駆動部１が雌ネジ６と強固に係合されることにより、雌ネジ６と強固に係合される。
【００２８】
なお、雄ネジ７を回転させることにより、カム２が回転するように構成することが可能である。そして、雌ネジ６に係る第１の物体またはその一部としては、任意の装置や器具が可能であり、例えば、聴診器などが可能である。また、雄ネジ７に係る第２の物体またはその一部としては、任意の装置や器具が可能であり、例えば、時計や装飾品（宝飾品等）などが可能である。
【００２９】
本実施形態に係る物体の取付装置が係合する物体は、任意の装置や器具が可能であり、例えば、聴診器と、時計や装飾品（宝飾品等）などが可能である。
【００３０】
図３は、本発明の取付装置を用いて時計（物体の例）を取り付けた例を示すものであり、図３（ａ）は、図１（ａ）、（ｂ）の物体の取付け（締め付け）前の状態に対応した時計７の締め付け前の状態を示し、図３（ｂ）は、図１（ｃ）、（ｄ）の物体の取付け（締め付け）後の状態に対応した時計７の締め付け後の状態を、それぞれ示すものである。このように、時計７の角度を９０度回転させることにより、本発明の取付装置は、物体（時計）を締め付けたり、その締め付け状態を開放させることができるのである。
【産業上の利用可能性】
【００３１】
本発明は、凹部を有する物体と、凸部を有する物体とを互いに係合する物体の取付装置に関するものであり、産業上の利用可能性を有する。
【図面の簡単な説明】
【００３２】
【図１】本発明の取付装置の構成を示すものであり、図１（ａ）は物体の取付け（締め付け）前の本取付装置の平面図、図１（ｂ）は物体の取付け前の本取付装置の側面から見た断面図、図１（ｃ）は物体の取付け時の本取付装置の平面図、そして、図１（ｄ）は物体の取付け時の本取付装置の側面から見た断面図を、それぞれ示す。
【図２】本発明の取付装置の構成要素を説明するものであり、図２（ａ）は空室４を有する駆動部１の平面図、図２（ｂ）は駆動部１の側面図、図２（ｃ）はＯリング３の平面図、そして、図２（ｄ）はカム２の平面図を、それぞれ示す。
【図３】本発明の取付装置を用いて時計（物体の例）を取り付けた例をしめすものであり、図３（ａ）は図１（ａ）、図１（ｂ）の物体の取付け（締め付け）前の状態を、図３（ｂ）は図１（ｃ）、図１（ｄ）の物体の取付け（締め付け）後の状態を、それぞれ示す。
【符号の説明】
【００３３】
１：駆動部
２：カム
３：Ｏリング
４：空室
５：雌ネジ内径
６：雌ネジ（第１の物体）
７：雄ネジ（第２の物体）
【図１】
2006300155.tif 000003
【図２】
2006300155.tif 000004
【図３】
2006300155.tif 000005